(57)【要約】【課題】手で持って操作する場合のみならず、机などに載置した状態で操作する場合にも操作部の操作がしやすく、また使用者が視認しながら操作できる情報処理装置を提供する【解決手段】入力部１１を備えた第１の筐体１と、一方面側に画面表示部２１を備えた第２の筐体２と、第１の筐体１と第２の筐体２とを連結するヒンジ部３と、画面表示内容の制御に関する操作を行う操作部１２とを備える。そしてヒンジ部３は、画面表示部２１が入力部１１側を向いた状態で第１の筐体１に対して第２の筐体２が開けられた第１の状態と、第２の筐体の画面表示部２１と反対面側が入力部１１の面と対向するように第２の筐体２が第１の筐体１と重なっている第２の状態とに選択可能に、第１の筐体１と第２の筐体２とを連結する。そしてまた、開閉軸部に操作部１２を設ける。【選択図】  図３
2004240478.tif 000002
【特許請求の範囲】
【請求項１】
入力部を備えた第１の筐体と、一方面側に画面表示部を備えた第２の筐体と、前記第１の筐体と前記第２の筐体とを連結するヒンジ部、画面表示内容の制御に関する操作を行う操作部とを備えた情報処理装置において、
前記ヒンジ部は、前記第１の筐体に対して、前記第２の筐体を開閉する開閉軸と、前記第２の筐体を回動させる、前記開閉軸に垂直な回動軸とを有し、前記画面表示部が入力部側を向いた状態で前記第１の筐体に対して前記第２の筐体が開けられた第１の状態と、前記第２の筐体の画面表示部と反対面側が前記入力部の面と対向するように前記第２の筐体が前記第１の筐体と重なっている第２の状態とに選択可能に、前記第１の筐体と前記第２の筐体とを連結し、
前記操作部が開閉軸部に設けられていることを特徴とする情報処理装置。
【請求項２】
前記画面表示部の画面表示を制御する制御部をさらに備え、前記第１の状態と前記第２の状態との装置の状態変化を検知する検知手段からの検知信号に基づいて、前記制御部は、前記第１の状態と前記第２の状態とで、その画面表示を９０°回転させる請求項１記載の情報処理装置。
【請求項３】
前記第２の筺体における前記画面表示部が設けられた反対面側に第２画面表示部をさらに設けた請求項１又は２記載の情報処理装置。
【発明の詳細な説明】
【０００１】
【発明の属する技術分野】
本発明は情報処理装置に関し、より詳細にはＰＤＡ（Ｐｅｒｓｏｎａｌ  Ｄｉｇｉｔａｌ  Ａｓｓｉｓｔａｎｃｅ）などの携帯用の情報処理装置（以下、単に「装置」と記すことがある）に関するものである。
【０００２】
【従来の技術】
ＰＤＡなどの携帯用情報処理装置では装置の小型化が何よりも重要な条件となる。このため、例えば表示画面の周囲や装置の側面にジョグダイヤルやキートップなど操作部を設け、画面に表示される選択項目やメッセージの選択・決定などの操作（以下、「選択・決定操作」と略すことがある）をこの操作部を用いて行うようにして装置の小型化を図っていた。
【０００３】
一方、携帯用情報処理装置を用いて受信のみならず送信をも行うことが近年急速に増加してきている。従来の装置において文字入力する場合は、前記選択・決定操作によって文字を選択入力するか、あるいは透明タッチパネルを取付けた表示画面からペンで入力していたが、これらの方法による文字入力は時間が掛かり手間であった。またキーボードによる入力では、装置を小さくしなければならない関係上、キーボードを設けるための充分な領域を装置表面に確保できず、必然的にキーが小さくなると共にキー間ピッチも狭くなり、使用者がキー入力しにくいといった問題があった。
【０００４】
そこで特許文献１では、情報処理装置を上ハーフ部と下ハーフ部とから構成し、キーボード部から入力する場合は上ハーフ部と下ハーフ部とを開いた状態とし、選択・決定操作を行う場合は表示画面が外側になるように上ハーフ部と下ハーフ部とを重ねた状態とすることを提案している。そして特許文献１の情報処理装置では、上ハーフ部と下ハーフ部とが重なっても外部に露出する部分、具体的には下ハーフ部の側面に操作部を設けている。
【０００５】
【特許文献１】
特開２００１−２６８６１３号公報（請求項１、
【００２５】段、図１〜図５）
【０００６】
【発明が解決しようとする課題】
特許文献１の情報処理装置のように操作部が装置側面に設けられていると、情報処理装置を手で持って操作する場合には操作しやすいが、情報処理装置を机などに載置した状態で操作する場合には操作しにくいという問題があった。また、操作部が装置側面に設けられていると、使用者が視認しながら操作部を操作することは実際上困難であり、操作の確実性の点で問題があった。
【０００７】
またキーボード入力を行う場合、キー配置や入力しやすさ等の点などから装置が横長である方が好ましく、また入力される文字・記号を表示する画面も横長の方が一般に見やすい。一方、選択・決定操作を行う場合には、これらの操作は通常は装置を片手で持って行うので、縦長の装置の方が手のひらに収まりやすく使い勝手よい。
【０００８】
特許文献１の情報処理装置では使用方向が変わらないため、装置を、キーボード入力が行いやすい横長の状態で使用した場合は、選択・決定操作が行いにくくなり、反対に選択・決定操作が行いやすい縦長の状態とした場合は、キーボード入力が行いにくくなるという問題があった。
【０００９】
本発明はこのような従来の問題に鑑みてなされたものであり、その目的とするところは、片手で持って操作する場合のみならず、机などに載置した状態で操作する場合にも操作部の操作がしやすく、また使用者が視認しながら操作できる情報処理装置を提供することにある。
【００１０】
また本発明の目的は、キーボード入力が行いやすく、しかも選択・決定操作を行う場合には装置を片手で支持でき簡単に操作できる情報処理装置を提供することにある。
【００１１】
【課題を解決するための手段】
本発明によれば、入力部を備えた第１の筐体と、一方面側に画面表示部を備えた第２の筐体と、前記第１の筐体と前記第２の筐体とを連結するヒンジ部、画面表示内容の制御に関する操作を行う操作部とを備えた情報処理装置において、前記ヒンジ部は、前記第１の筐体に対して、前記第２の筐体を開閉する開閉軸と、前記第２の筐体を回動させる、前記開閉軸に垂直な回動軸とを有し、前記画面表示部が入力部側を向いた状態で前記第１の筐体に対して前記第２の筐体が開けられた第１の状態と、前記第２の筐体の画面表示部と反対面側が前記入力部の面と対向するように前記第２の筐体が前記第１の筐体と重なっている第２の状態とに選択可能に、前記第１の筐体と前記第２の筐体とを連結し、前記操作部が開閉軸部に設けられていることを特徴とする情報処理装置が提供される。
【００１２】
ここで、キーボード入力が行いやすく、且つ選択・決定操作が行いやすくする観点から、前記画面表示部の画面表示を制御する制御部をさらに設け、前記第１の状態と前記第２の状態との装置の状態変化を検知する検知手段からの検知信号に基づいて、前記制御部は、前記第１の状態と前記第２の状態とで、その画面表示を９０°回転させるようにするのが好ましい。
【００１３】
また、使用者の利便性をさらに向上させる観点から、第２の筺体における画面表示部が設けられた反対面側に第２画面表示部をさらに設けてもよい。
【００１４】
装置の操作性や携帯性を向上させる観点から、第２の状態における平面視において、第１の筺体の平面領域内に第２の筺体とヒンジ部とが収まるようにするのが望ましく、さらには第１の筺体の平面視における形状を長方形とし、その短手方向の長さを７０〜１００ｍｍの範囲、長手方向の長さを１１０〜１５０ｍｍの範囲とするのが望ましい。また第２の筺体に加わる回転モーメントの大きさとヒンジ部の強度との関係を考慮すると、第２の状態における平面視において、ヒンジ部と第２の筺体との短手方向の長さの比を１：５〜１：８の範囲とするのが好ましい。
【００１５】
使用者における種々の使用状態を考慮し、画面表示の９０°回転機能を禁止させる回転禁止入力部をさらに設けてもよい。
【００１６】
第２の状態において、第２の筺体に加わる押圧力によって筺体が撓み、第１の筺体の入力部から誤入力されるのを防止する観点から、第２の状態における入力部の少なくとも一部からの入力信号を無効としてもよく、この場合、第１の筺体の縁辺で且つヒンジ部から離れた位置にある入力部分からの入力を無効とするのがよい。
【００１７】
画面表示部の表示領域を有効に活用するとともに、画面表示が使用者に見やすくなるように、画面表示部が長方形状の場合には、第１の状態と第２の状態とで画面表示部の縦・横の長さが変化するのに合わせて、画面表示内容の改行処理を行うのが好ましい。
【００１８】
また、装置の用途を広くする観点から、検知手段が第２の状態を検知するものであってもよい。
【００１９】
使用者の利便性を図る観点から、２以上の検知手段を用いて前記装置の状態変化を検知するとともに、第２の筐体の画面表示部の面が入力部の面と対向するように第２の筐体が第１の筐体と重なっている不使用状態をも検知するようにし、装置が不使用状態の場合には画面表示部を消灯するようにするのが好ましい。
【００２０】
ここで、装置の美観を損なわないために、検知手段の設置位置は、使用者の目に付きにくい第１の筐体と第２の筐体との連結部分が好ましい。あるいは検知手段としてホール素子を用いてもよい。
【００２１】
【発明の実施の形態】
本発明者は、キーボード部などの入力部を備えた第１の筐体と、一方面側に画面表示部を備えた第２の筐体とを、開閉軸と回動軸を有するヒンジ部で連結した情報処理装置において、手で持って操作する場合のみならず、机などに載置した状態で操作する場合にも操作部の操作がしやすく、また使用者が視認しながら操作できるようにすべく鋭意検討を重ねた結果、開閉軸部に操作部を設ければよいことを見出し本発明をなすに至った。
【００２２】
以下、本発明の情報処理装置について図に基づいて説明する。なお、本発明はこれらの実施形態に何ら限定されるものではない。
【００２３】
図１は、本発明の装置の不使用状態を示す斜視図である。すなわち、第１の筐体１と第２の筐体２とが、ヒンジ部３を介して、入力部１１（図３に図示）の面と画面表示部２１（図３に図示）の面とが対向するように重なっている状態にある。このような状態とすることにより、外力などから画面表示部２１や入力部１１を保護することができる。装置を使用しないときはこの状態とする。ここで図の装置ではヒンジ部３は、開閉軸（Ａ軸）と回動軸（Ｂ軸）とを有し、第１の状態と第２の状態に切り替え可能に第１の筺体１と第２の筺体２とを連結している。そして開閉軸部には、シーソー型キートップ１２ａおよび単キートップ１２ｂ（いずれも操作部１２）が設けられ、装置の不使用状態のときにもこのように外部に露出するようになっている。これにより装置が不使用状態にあっても必要により操作部１２を操作し信号を入力することもできる。
【００２４】
またここで図２に示すように、画面表示部２１と反対側面の第２の筺体に第２画面表示部２２をさらに設けてもよい。これにより、装置を使用していない状態のときでも第２画面表示部２２を介して、例えば現在時刻や受信情報の有無などの情報を使用者に伝えられるようになる。なお、第２画面表示部２２の大きさに特に限定はなく、また第２画面表示部２２に表示させる内容に特に限定はない。そしてまた装置が使用状態のときには第２画面表示部２２を消灯するようにしてもよい。
【００２５】
図３は、図１の不使用状態から、第２の筐体２をヒンジ部３のＡ軸（開閉軸）を中心に回動させて、画面表示部２１が入力部１１側を向いた状態で、第１の筐体１に対して第２の筐体２が開けられた第１の状態としたときの斜視図である。この状態においても、操作部１２は開閉軸部に設けられているため使用者から見て正面位置に露出しており、キーボードを押下するのと同じように操作部１２を操作できる。図３の装置では、使用者から見て開閉軸部の右側部に操作部１２が設けられているが、操作部１２は開閉軸部のどの部分に設けて構わない。例えば図４及び図５の装置では、使用者から見て開閉軸部の右側部にシーソー型キートップ１２ａおよび単キートップ１２ｂ、左側部に単キートップ１２ｃ、１２ｄをそれぞれ設けている。
【００２６】
図３の装置において、第１の筐体１の上面には入力部１１が配設され、入力部１１の左上には凸状スイッチ（検知手段）Ｓ１が設けられ、第２の筐体２の画面表示部２１の左下に形成されている突起（検知手段）Ｔ１による押圧でオン−オフされ、後述するように装置の状態を検知する。また、第１の筐体１の上辺と第２の筐体２の下辺とがヒンジ部３で連結されている。そしてこのヒンジ部３のヒンジカバー３１の表面に突起（検知手段）Ｔ２が形成され、第２の筐体２が閉まった状態のときにこの突起Ｔ２により押圧される位置に凸状スイッチ（検知手段）Ｓ２が設けられ、前記凸状スイッチＳ１と同様に装置の状態を検知する。図３の装置では入力部１１としてキーボードが図示されているが、本発明における入力部はこれに限定されるものではなく、タッチパネルやトラックボール、トラックパッド、ポインティングスティックなど従来公知のものを含む。この第１の状態において使用者は入力部１１から入力を行うことができ、入力された信号は画面表示部２１に表示される。また開閉軸部に操作部１２が配置されているので、必要によりこれを用いて入力や決定などの操作を行うこともできる。さらにはペンや指によって画面表示部２１を押圧することによって入力することもできる。
【００２７】
次に、選択・決定操作を行う場合には、画面表示部２１が外側になるように第２の筐体２を第１の筐体１と重ねた第２の状態にする。具体的には、図３のように第２の筐体２を開いた状態から、図６に示すようにヒンジ部３のＢ軸（回動軸）を中心に第２の筐体２を１８０°回転させた後、今度はＡ軸を中心に第２の筐体２を回動させて第１の筐体１と重なった状態（第２の状態）とする。そして、装置の方向を９０°回転させて縦長として使用する。このとき、装置の使用方向に合わせて、画面表示部２１の表示は第１の状態から９０°回転している。これにより縦長の状態で文字などを認識できるようになる。図７に、装置を第２の状態にしたときの斜視図を示す。
【００２８】
図７の縦長の方向で使用する装置において、使用者から見て左側端に開閉軸部が位置し、その上側にシーソー型キートップ１２ａ、単キートップ１２ｂ（それぞれ操作部１２）が設けられている。シーソー型キートップ１２ａは例えばその一方を「決定」を入力するときに用い、もう一方は「取消」を入力するときに用いる。単キートップ１２ｂは例えば電源キーとして用いる。もちろん、画面表示部２１に取り付けた透明タッチパネルからペンや指で入力操作を行ってもよいし、操作部１２からの入力とペンや指による入力とを併用してもよい。
【００２９】
また操作部１２として前記のものの他、トラックボールやトラックパッド、ポインティングスティックなど従来公知のポインティングデバイスなどを設けても構わない。また、第１の状態と第２の状態とで操作部１２の発揮する機能を異なるようにしても構わない。
【００３０】
図７に示すように装置を縦長の状態で使用することにより、使用者の手のひらに装置がすっぽりと収まり、横長の状態に比べ使い勝手が格段によくなる。ここで大人の使用者の手のひらの大きさを考慮すると、長方形であるこの第１の筺体の短手方向の長さを７０〜１００ｍｍの範囲、長手方向の長さを１１０〜１５０ｍｍの範囲とするのが望ましい。また第２の筺体に加わる回転モーメントの大きさとヒンジ部の強度との関係を考慮すると、第２の状態における平面視において、ヒンジ部と第２の筺体との短手方向の長さの比ｘ：ｙ（図７に図示）を１：５〜１：８の範囲とするのが好ましく、１：６〜１：７の範囲がより好ましい。また、この第２の状態における平面視において、第２の筺体２とヒンジ部３とが第１の筺体１の平面領域内に収まるようにすることも、装置の操作性や携帯性を向上させる上で重要である。特に、第２の状態における平面視において、第２の筺体２とヒンジ部３とが第１の筺体１の平面領域全体を覆うように隙間なく収まるようにするのが望ましい。
【００３１】
また図７に示すように、装置の使用方向を変えることに合わせて、画面表示部２１の表示を第１の状態から９０°回転させて、縦長の状態で文字などを認識できるようにしてある。画面表示部２１の表示例を図８に示す。同図（ａ１）は、装置が横長の状態（第１の状態）のときの、横書きされた文字列の画面表示例である。次に、この状態から装置を時計回りに９０°回転させて縦長の状態（第２の状態）で装置を使用するようにした場合、画面表示は反時計回りに９０°回転させる。すると、同図（ａ２）に示すような表示となり、文字は使用者から見て通常方向となるように画面表示部２１に表示される。
【００３２】
同図（ｂ１）および（ｂ２）は、縦書きされた文字列の、装置が横長の状態と縦長の状態における画面表示例を示したものである。縦書きされた文字列の場合も、前記と同様に、装置を時計回りに９０°回転させて横長の状態から縦長の状態にして使用した場合には、画面表示は反時計回りに９０°回転されるので、文字は使用者から見て通常方向となるように画面表示部に表示される。なお、第１の状態と第２の状態とでは画面表示部２１の幅が異なるので、画面表示部２１の表示領域を有効に利用すべく、図８に例示してあるように、画面表示部２１の幅に合わせて改行処理などを適宜行うことが推奨される。
【００３３】
一方、装置の使用方向を変えたときでも画面表示部２１の表示を回転させたくない場合も使用者の種々の使用状況の中にはあり得る。そこで、画面表示の９０°回転を禁止させる回転禁止入力部を設け、前記状況に対応できるようにしてもよい。回転禁止入力部として例えば図９に示すような設定画面を設けておき、この設定画面から画面表示部の表示の回転禁止を入力する。あるいは回転禁止入力部として装置の所望の位置にスイッチを設けておき、スイッチの入切により表示の回転禁止を行うようにしてもよい。
【００３４】
図７に示した第２の状態において、画面表示部２１からペン入力やタッチ入力している時あるいは装置を手で把持している時に、それらの押圧力によって第２の筺体２が撓んで、第２の筺体２のちょうど下側に位置する入力部１１のキーに接触し誤入力が生じるおそれがある。かかる不具合を未然に防止するためには、装置が第２の状態にあるときは、入力部１１の少なくとも一部からの入力信号は無効とするように制御するのが好ましい。ここで言う入力部１１の一部とは、第２の状態において第２の筺体が撓みやすい部分の対向位置にある入力部分を意味し、個々の装置において具体的部分は異なるが、一般に第１の筺体の縁辺で且つヒンジ部から離れた位置の入力部分である。なお、前記不具合を完全に防止するには、装置が第２の状態にあるときは入力部１１の全体について入力を無効とするのがよい。
【００３５】
次に、第１の筐体と第２の筐体との装置の状態変化を検知する手段について説明する。検知手段としては押圧スイッチや発光素子・受光素子、ホール素子など従来公知のものを用いることができ、また検知手段の取り付け位置としては、第１の状態と第２の状態との状態変化を検知できる位置であればどこでもよい。例えば、装置が第１の状態あるいは第２の状態であることを検知する位置であってもよいし、第１の状態から第２の状態へ移行していることを検知する位置であってもよい。
【００３６】
検知手段を取り付けた本発明の装置の一つの形態を図１０に示す。図１０の装置では、Ｂ軸から見て一方側の第２の筐体２の底面及びこれに対向するヒンジカバー３１に、発光素子４１と受光素子４２とが設けられている。装置が第１の状態にあるときは発光素子４１からの光は受光素子４２で検知される。他方、第２の筐体２がＢ軸を中心に回動されると、発光素子４１に対向する位置に受光素子４２はなくなるため、発光素子４１からの光は受光素子４２で検知されなくなる。受光素子４２によるこのような光検知の有無により、第２の筐体２が第１の状態であるのか、それ以外（第２の状態）であるのかが検知される。
【００３７】
また、図示しないが、発光素子と受光素子を検知手段として用いた場合の他の形態として、第２の筐体２の底面およびヒンジカバー３１の一方に発光素子４１と受光素子４２を設け、もう一方に反射部材を設けた形態が例示される。この場合にも、前記と同様に受光素子に光検知の有無により、第２の筐体が第１の状態であるのか、それ以外（第２の状態）であるのかが検知し得る。すなわち、装置が第１の状態にあるときは発光素子からの光が反射部材で反射されて受光素子で検知されるのに対し、第２の筐体が回動軸を中心に回動されると、発光素子からの光は反射部材で反射されないため受光素子で検知されない。なお、これらの場合には、画面表示部の表示の回転は、第２の筐体がＢ軸を中心に回動して、第１の状態ではなくなったとき又は第１の状態になったときに行われることになる。
【００３８】
検知手段を取り付けた本発明の装置の他の形態を図１１に示す。図１１の装置では、図上、第１の筐体１の右下部にホール素子４３を内設すると共に、第２の筐体２の左上部に前記ホール素子４３と対となるホール素子４４を内設してある。この一対のホール素子４３，４４は両者が接近すると信号を発する。したがって図１１に示すような、装置が第１の状態の場合には検知信号は発せられない。一方、同図の状態からＢ軸を中心として第２の筐体２を１８０°回動させた後、Ａ軸の周りに回動させて第２の筐体２が第１の筐体１と重なった第２の状態とした場合には、一対のホール素子４３，４４がちょうど対向する位置となり、検知信号が発せられる。したがって、この装置では画面表示部２１の表示の回転は、第２の筐体２がＡ軸を中心に回動して、第２の状態ではなくなったとき又は第２の状態になったときに行われることになる。
【００３９】
このように第２の状態であるかどうかを検知手段で検知する場合には、画面表示部２１をＢ軸を中心として所望の角度に回動させた状態としても、前記実施形態の場合と異なり画面表示は回転しない。例えば図１２に示す状態は、画面表示部２１を入力部１１と反対側となるように１８０°回転させた状態である。このような機能を利用すれば、画面表示部２１を第三者の方に向けた状態で、使用者が入力部から入力しながらプレゼンテーションや広告宣伝を行うこともできる。
【００４０】
以上の実施形態は検知手段を１つ用いるものであったが、検知手段を２つ以上設けてももちろん構わない。この場合、装置の状態変化と共に不使用状態をも検知するようにし、装置が不使用状態の場合には画面表示部を消灯するように制御するのが好ましい。以下に、検知手段を２つ設けた場合の装置例について説明する。
【００４１】
図３に示した装置では、前述のように、第１の筐体１における入力部１１の左上部およびヒンジカバー３１の対向部にそれぞれ凸状スイッチＳ１，Ｓ２が設けられ、第２の筐体２の画面表示部２１のこれに対応する位置およびヒンジカバー３１にそれぞれ突起Ｔ１，Ｔ２が設けられている。凸状スイッチＳ１を含む位置での側断面図を図１３、そして凸状スイッチＳ２を含む位置での側断面図を図１４に示す。なお、凸状スイッチ及び突起の設置位置は上記位置に限定されるものではないが、ヒンジカバー３１の対向部（連結部分）は使用者から見えにくく、またＡ軸の位置によっては、ヒンジカバー３１の表面に突起を形成しなくても凸状スイッチＳ２がヒンジカー３１で押圧され得るので、この部分に検知手段を設けるのが好ましい。
【００４２】
凸状スイッチＳ１では、図１３（ａ）に示すように、入力部１１と画面表示部２１とが対向するように第１の筐体１と第２の筐体２とが重ねられた状態（不使用状態）のときには、凸状スイッチＳ１のピンが突起Ｔ１により押圧されて検知信号は”オン”状態となっている。次に、この不使用状態から第２の筐体２をＡ軸を中心に回動させると、突起Ｔ１によるピンの押圧が解除されて凸状スイッチＳ１は”オフ”となる（同図（ｂ））。そして同図（ｃ）に示すように、画面表示部２１を外側にして第２の筐体２を第１の筐体１に重ねた第２の状態とした場合でも、ピンは押圧されないので凸状スイッチＳ１は”オフ”状態を維持する。
【００４３】
一方、凸状スイッチＳ２では、図１４（ａ）に示すように、第１の筐体１に対して第２の筐体２が閉まった状態のときは、凸状スイッチＳ２のピンが突起Ｔ２により押圧されて”オン”となっている。第２の筐体２がＡ軸を中心に回動して開くと、同図（ｂ）に示すように、突起Ｔ２によるピンへの押圧が解除される。これによりピンは上方に移動し、凸状スイッチＳ２は”オン”から”オフ”になる。また、同図（ｃ）に示すように、装置が第２の状態である場合には、ピンは押圧されるので凸状スイッチＳ２は”オン”状態となる。このような凸状スイッチＳ１，Ｓ２の検知信号と装置の状態との関係を表１にまとめて示す。
【００４４】
【表１】
2004240478.tif 000003
【００４５】
表１によれば、装置が不使用状態のときは凸状スイッチＳ１，Ｓ２はどちらも”オン”となり、装置が第１の状態のときは凸状スイッチＳ１，Ｓ２はどちらも”オフ”、そして第２の状態のときは凸状スイッチＳ１が”オフ”で、凸状スイッチＳ２が”オン”となる。したがって、この２つの検知手段Ｓ１，Ｓ２からの検知信号により、装置が第１の状態であるか第２の状態であるかのみならず不使用状態であることまでも検知できることが理解される。
【００４６】
これを利用して、画面表示部２１の点灯・消灯および画面表示の切替の制御を、表１に示すように制御するのが好ましい。すなわち、装置が不使用状態から第１の状態になった場合には画面表示部２１を自動的に点灯し、また装置が第１の状態から第２の状態になった場合には画面表示部２１の画面表示を第１の状態から９０°回転させる。反対に、装置が第２の状態から第１の状態になった場合には画面表示を前とは逆方向に９０°回転させ、第１の状態から不使用状態になった場合には画面表示部２１を自動的に消灯させるのである。また、不使用状態になった場合の別の方法としては、画面表示のバックライトのみをオフにしたり、装置の電源をオフにしたり、あるいは通信機能搭載のＰＤＡであれば通信機能以外のアプリケーションをオフにしたりして、無駄な電力消費が抑えられ省エネルギー化が図れる。
【００４７】
【発明の効果】
本発明の情報処理装置では、画面表示内容の制御に関する操作を行う操作部を開閉軸部に設けたので、手で持って操作する場合のみならず、机などに載置した状態で操作する場合にも操作部の操作がしやすく、また使用者が視認しながら操作できる。これにより操作の確実性が向上する。
【００４８】
また第１の筐体と第２の筐体とを、画面表示部が入力部側を向いた状態で第１の筐体に対して第２の筐体が開けられた第１の状態と、第２の筐体の画面表示部と反対面側が入力部の面と対向するように第２の筐体が前記第１の筐体と重なっている第２の状態とに選択可能に連結し、第１の状態と第２の状態とでその画面表示を９０°回転させるようにすると、キーボードなどの入力部から入力する場合は装置を横長の状態で使用し、選択・決定操作を行う場合は装置を縦長の状態で使用することができる。これにより、従来に比べキーボードなどからの入力が行いやすく、また選択・決定操作を行う場合に、装置を片手で楽に支持・操作できるようになる。
【図面の簡単な説明】
【図１】本発明の情報処理装置の不使用状態の一例を示す斜視図である。
【図２】第２の筺体に補助画面表示を設けた装置の斜視図である。
【図３】装置を第１の状態にしたときの一例を示す斜視図である。
【図４】装置を第１の状態にしたときの他の例を示す斜視図である。
【図５】図４の装置を第２の状態にしたときの斜視図である。
【図６】装置を第１の状態から第２の状態へ変化させている斜視図である。
【図７】装置を第２の状態にしたときの一例を示す斜視図である。
【図８】第１の状態から第２の状態にしたときの画面表示部の表示の変化を示す図である。
【図９】設定画面から画面表示の回転禁止を入力する場合の一例を示す図である。
【図１０】本発明で使用できる検知手段の一例を示す斜視図である。
【図１１】本発明で使用できる検知手段の他の例を示す斜視図である。
【図１２】装置の使用形態の一例を示す斜視図である。
【図１３】検知手段の検知状態を示す装置の側断面図である。
【図１４】他の検知手段の検知状態を示す装置の側断面図である。
【符号の説明】
１  第１の筐体
２  第２の筐体
３  ヒンジ部
１１  入力部
１２  操作部
１２ａ  シーソー型キートップ（操作部）
１２ｂ，１２ｃ，１２ｄ  単キートップ（操作部）
２１  画面表示部
２２  第２画面表示部
３１  ヒンジカバー
４１  発光素子（検知手段）
４２  受光素子（検知手段）
４３，４４  ホール素子（検知手段）
Ｓ１，Ｓ２  凸状スイッチ
Ｔ１，Ｔ２  突起
【図１】
2004240478.tif 000004
【図２】
2004240478.tif 000005
【図３】
2004240478.tif 000006
【図４】
2004240478.tif 000007
【図５】
2004240478.tif 000008
【図６】
2004240478.tif 000009
【図７】
2004240478.tif 000010
【図８】
2004240478.tif 000011
【図９】
2004240478.tif 000012
【図１０】
2004240478.tif 000013
【図１１】
2004240478.tif 000014
【図１２】
2004240478.tif 000015
【図１３】
2004240478.tif 000016
【図１４】
2004240478.tif 000017